(57)【要約】【課題】二重書きすることにより光ディスク上のデータを消去する光ディスク装置の再生品質の向上、及び消去データの復元を可能にする。【解決手段】消去対象のデータを光ディスクから読み出し、そのデータに基づき二重書きするデータを決定するとともに、消去（二重書き）後のデータのマークやスペースのエッジが消去前のデータのマークのエッジからずれないように二重書きを行い、なお二重書き用データ作成に関する作成情報を保存しておき、データの復元に用いる構成とした。【選択図】　　　図１
2004046987.tif 000002
【特許請求の範囲】
【請求項１】
光ディスク上に光学ピックアップからの光スポットを照射することにより情報を記録し、または再生する光ディスク装置であって、
光ディスク上の消去されるべきデータに基づき、二重書き用データを生成する消去データ生成手段と、
前記消去データ生成手段により生成したデータを、前記光ディスク上の消去対象とするデータに二重書きするよう制御する制御手段と、を備えた、
ことを特徴とする光ディスク装置。
【請求項２】
請求項１に記載の光ディスク装置において、
前記消去データ生成手段は、前記ディスク上の二重書き後のデータが有する、隣り合うスペースとマークの長さの最大値及び最小値が、それぞれ、二重書き前のデータの隣り合うスペースとマークの長さの最大値及び最小値と変わらないように前記二重書き用データを生成する、
ことを特徴とする光ディスク装置。
【請求項３】
請求項２に記載の光ディスク装置において、
データの消去に先立って、前記光ディスクから消去対象のデータを読み出して格納するデータ記憶手段を備えた、
ことを特徴とする光ディスク装置。
【請求項４】
請求項３に記載の光ディスク装置において、
前記データ記憶手段は、前記光ディスクから再生し２値化したデータをそのまま格納する、
ことを特徴とする光ディスク装置。
【請求項５】
請求項３に記載の光ディスク装置において、
前記データ記憶手段は、前記光ディスクから再生し２値化し復号化、および誤り訂正を行なったデータを格納する、
ことを特徴とする光ディスク装置。
【請求項６】
光ディスク上に光学ピックアップからの光スポットを照射することにより情報を記録し、または再生する光ディスク装置であって、
光ディスク上の消去されるべきデータに基づき、二重書き用データの作成情報を記録する作成情報記憶手段と、
前記データが消去された後の光ディスクからデータを読み出し、前記作成情報記憶手段に格納された情報に基づき読みだしたデータを復元するデータ復元手段と、を備えた、
ことを特徴とする光ディスク装置。
【請求項７】
請求項６に記載の光ディスク装置において、
データの消去に先立って、前記光ディスクから前記消去対象のデータを読み出して格納するデータ記憶手段と、
前記データ記憶手段に格納されているデータに基づき、前記二重書き用データを生成する消去データ生成手段と、
前記消去データ生成手段により生成したデータを、前記光ディスク上の消去対象とするデータに二重書きするよう制御する制御手段と、を備えた、
ことを特徴とする光ディスク装置。
【請求項８】
請求項７に記載の光ディスク装置において、
前記消去データ生成手段は、消去前の光ディスク上のデータである、隣り合うスペースとマークの長さに応じて、前記二重書き用データを作成する、
ことを特徴とする光ディスク装置。
【請求項９】
請求項８に記載の光ディスク装置において、
前記消去データ生成手段は、前記隣り合うスペースとマークの長さを、それぞれスペースはｎＴ（ｎは整数、Ｔはチャネルクロック周期）だけ短く、マークはｎＴだけ長くなるように、前記二重書き用データを作成する、
ことを特徴とする光ディスク装置。
【請求項１０】
請求項９に記載の光ディスク装置において、
前記データ復元手段は、データが消去された後の光ディスクからデータを読み出し、全ての隣り合うスペースとマークの長さを、それぞれスペースをｎＴだけ長く、マークをｎＴだけ短くなるように補正し、データを復元する、
ことを特徴とする光ディスク装置。
【請求項１１】
請求項６に記載の光ディスク装置において、
前記作成情報記憶手段は、前記作成情報を前記光ディスクの空き領域に格納する、
ことを特徴とする光ディスク装置。
【請求項１２】
光ディスク上に光学ピックアップからの光スポットを照射することにより情報を記録し、または再生する光ディスク装置であって、
データの消去に先立って光ディスクから消去対象となるデータを読み出して格納するデータ記憶手段と、
前記データ記憶手段に格納された、前記消去対象のデータに関するディスク上の、隣り合うスペースとマークの長さを一律に固定値ｍＴ（ｍは整数、Ｔはチャネルクロック周期）だけスペースは短く、マークは長くなるように二重書き用データを作成する消去データ生成手段と、
前記消去データ生成手段により生成したデータを、前記光ディスク上の消去対象とするデータに二重書きするよう制御する制御手段と、
データが消去された後の光ディスクからデータを読み出し、隣り合うスペースとマークの長さを一律に固定値ｍＴ（ｍは整数、Ｔはチャネルクロック周期）だけスペースは長く、マークは短くなるように補正し、データを復元するデータ復元手段と、を備えた、
ことを特徴とする光ディスク装置。
【請求項１３】
光ディスク上に光学ピックアップからの光スポットを照射することにより情報を記録し、または再生する光ディスク装置であって、
データの消去時に光ディスク上の消去対象のデータをホストコンピュータから転送するデータ転送手段と、
前記データ転送手段により送られてくるデータに基づき、二重書き用データを生成する消去データ生成手段と、
前記消去データ生成手段により生成したデータを前記光ディスク上の消去対象のデータに二重書きするよう制御する制御手段とを備えた、
ことを特徴とする光ディスク装置。
【請求項１４】
請求項１３に記載の光ディスク装置において、
データの復元に先立って、復元に必要なデータを前記ホストコンピュータから転送するデータ転送手段と、
前記データ転送手段により送られてくるデータに基づき、前記光ディスクから読み出したデータを復元するデータ復元手段と、を備えた、
ことを特徴とする光ディスク装置。
【発明の詳細な説明】
【０００１】
【発明の属する技術分野】
本発明は、データを一度だけ書き込むことのできる光ディスクのデータを消去する光ディスク装置に関する。
【０００２】
【従来の技術】
従来、１度だけ書き込み可能な（以下、ライトワンスと称する。）光ディスクのデータを消去する光ディスク装置は、特開２００１−２０９９４４号公報に記載されたものが知られている。
【０００３】
図９は、この従来の光ディスク装置の構成を示すブロック図である。
図９において、１０はＣＤ−ＲやＤＶＤ−Ｒ等の一度だけ記録可能な光ディスク、１５はスピンドルモータ、２０はレーザダイオードと対物レンズとフォトディテクタとを備えた光学ヘッド、３０は再生データの高周波信号を増幅するための増幅回路、４０は再生データからクロックを抽出するＰＬＬ回路、４５は同期パターンを検出する同期検出回路、５０はＣＰＵ、５５はカウンタ、６０はデータの読み出し時には再生信号よりＥＦＭ復調、ＣＩＲＣ（クロスインターリーブ・リードソロモン・符号）デコード、および誤り訂正処理等の復号処理を、記録時には読みだし時とは逆の処理である符号化処理を行なうデコーダ／エンコーダ、７０はＡＴＩＰ（Ａｂｓｏｌｕｔｅ　Ｔｉｍｅ　ｉｎ　Ｐｒｅｇｒｏｏｖｅ）の復号および同期検出を行なうＡＴＩＰデコーダである。
【０００４】
この従来の光ディスク装置は、部分データを消去する場合の絶対アドレスを消去することによる、光ディスク１０上の残りのデータの再生ができなくなることを回避することを目的として、フレーム内のデータとパリティ部分のみを消去するものであり、データを消去するために消去対象の光ディスク１０上のデータに対して二重書きを行なうものである。具体的には、光学ヘッド２０から読み出した再生データを増幅回路３０で増幅した後、ＰＬＬ４０においてクロックを抽出するとともに、同期検出回路４５においてフレームの開始位置を示すフレーム同期パターンを検出し、カウンタ５５において光学ヘッド２０の出力するレーザスポットが目標のフレームに対する同期パターンを検出する。その後、消去対象となるフレーム内のデータおよびパリティ部に前記レーザスポットが到達するまでの時間、および消去対象となるフレーム内のデータおよびパリティ部が終了するまでの時間を計測し、該計測結果に基づいて、光学ヘッド２０の出力するレーザスポットがフレーム内のデータおよびパリティ上にある間、光学ヘッド２０のレーザパワーを書き込み時のパワー以上に高くし、例えば６Ｔ等の固定パターン、またはランダムなデータを、消去対象のデータに対して二重書きする。
【０００５】
【発明が解決しようとする課題】
しかしながら、データの消去処理を行なう際に、既に記録されているデータとは無関係に、固定またはランダムなデータを記録用のレーザパワーをかけて記録するため、二重書きされた部分のピットは、二重書きされる前のピット位置とは無関係にランダムな位置に形成される。従って、この消去処理により、本来なら存在しない３Ｔから１１Ｔ以外の長さのマークまたはスペースが形成されることになる。
【０００６】
ところが、ＤＶＤ等の高密度化や回路のディジタル化にともない、読み率を高めるために導入されているビタビ復号器においては、このことが問題となる。ビタビ復号器の設計においては、回路の簡単化等を目的として有効なマークおよびスペース長を限定して設計を行なう。
【０００７】
そのために、消去を行なったメディアの再生を行なう場合に、消去したフレームの再生中に規定外のパターン、例えば長さが１４Ｔや２０Ｔ等のデータが入力されるとビタビ復号器の処理が乱れ、消去を行なったフレームの次のフレームの復号処理において誤り率が高くなるという問題がある。特に、二重書きすることで長いマークが形成されると、ビタビ復号器においてこの長いマークの影響をなくすために長い時間を要する。そのため、未消去のデータや消去対象のフレームのアドレス情報の再生能力が低下するといった問題が生じる。
【０００８】
本発明は、上記のような問題を解決するために為されたもので、２重書きによりデータ消去を行われた光ディスクからデータを効率よく、確実に再生できる光ディスク装置を提供することを目的とする。
【０００９】
【課題を解決するための手段】
この課題を解決するために本発明（請求項１）は、光ディスク上に光学ピックアップからの光スポットを照射することにより情報を記録し、または再生する光ディスク装置であって、光ディスク上の消去されるべきデータに基づき、二重書き用データを生成する消去データ生成手段と、前記消去データ生成手段により生成したデータを、前記光ディスク上の消去対象とするデータに二重書きするよう制御する制御手段とを備えたものである。
これにより、消去前のデータに基づいた二重書きが行なえ、データの消去を行なったディスクからデータの読み出しを行なうときの、再生品質の低下を招くことなく、データを消去することが可能となる。
【００１０】
また、本発明（請求項２）は、請求項１に記載の光ディスク装置において、前記消去データ生成手段は、前記ディスク上の二重書き後のデータが有する隣り合うスペースとマーク長の長さの最大値及び最小値が、それぞれ、二重書き前のデータの隣り合うスペースとマーク長の長さの最大値及び最小値と変わらないように前記二重書き用データを生成するものである。
これにより、消去後のディスクの読みだしを通常の光ディスク装置で行なっても読み出し性能の劣化を抑えることができる。
【００１１】
また、本発明（請求項３）は、請求項２に記載の光ディスク装置において、データの消去に先立って、前記光ディスクから消去対象のデータを読み出して格納するデータ記憶手段を備えたものである。
これにより、二重書きを行なうためのデータを別途用意する必要がなくなる。
【００１２】
また、本発明（請求項４）は、請求項３に記載の光ディスク装置において、前記データ記憶手段は、前記光ディスクから再生し２値化したデータをそのまま格納するものである。
これにより、読み出しにおいて特別な装置を必要とせず、二重書きを行なうためにディスクから読み出すための回路規模の増大を抑えることができる。
【００１３】
また、本発明（請求項５）は、請求項３に記載の光ディスク装置において、前記データ記憶手段は、前記光ディスクから再生し２値化し復号化、および誤り訂正を行なったデータを格納するものである。
これにより、二重書き用の読みだしデータの品質を高めることができる。
【００１４】
また、本発明（請求項６）は、光ディスク上に光学ピックアップからの光スポットを照射することにより情報を記録し、または再生する光ディスク装置であって、光ディスク上の消去されるべきデータに基づき、二重書き用データの作成情報を記録する作成情報記憶手段と、前記データが消去された後の光ディスクからデータを読み出し、前記作成情報記憶手段に格納された情報に基づき読みだしたデータを復元するデータ復元手段とを備えたものである。
これにより、一度消去したデータの復元を可能とする。
【００１５】
また、本発明（請求項７）は、請求項６に記載の光ディスク装置において、データの消去に先立って、前記光ディスクから前記消去対象のデータを読み出して格納するデータ記憶手段と、前記データ記憶手段に格納されているデータに基づき、前記二重書き用データを生成する消去データ生成手段と、前記消去データ生成手段により生成したデータを、前記光ディスク上の消去対象とするデータに二重書きするよう制御する制御手段と、を備えたものである。
これにより、二重書きを行なうためのデータを別途用意する必要がなくなる。
【００１６】
また、本発明（請求項８）は、請求項７に記載の光ディスク装置において、前記消去データ生成手段は、消去前の光ディスク上のデータである、隣り合うスペースとマークの長さに応じて、前記二重書き用データを作成するものである。
これにより、データの復元に必要なデータのサイズを抑える事ができる。
【００１７】
また、本発明（請求項９）は、請求項８に記載の光ディスク装置において、前記消去データ生成手段は、前記隣り合うスペースとマークの長さを、それぞれスペースはｎＴ（ｎは整数、Ｔはチャネルクロック周期）だけ短く、マークはｎＴだけ長くなるように、前記二重書き用データを作成するものである。
これにより、データの復元に必要なデータのサイズをさらに抑える事ができる。
【００１８】
また、本発明（請求項１０）は、請求項９に記載の光ディスク装置において、前記データ復元手段は、データが消去された後の光ディスクからデータを読み出し、全ての隣り合うスペースとマークの長さを、それぞれスペースをｎＴだけ長く、マークをｎＴだけ短くなるように補正し、データを復元するものである。
これにより、データの復元に必要なデータのサイズをさらに抑える事ができる。
【００１９】
また、本発明（請求項１１）は、請求項６に記載の光ディスク装置において、前記作成情報記憶手段は、前記作成情報を前記光ディスクの空き領域に格納するものである。
これにより、作成情報と消去データの管理が容易になる。
【００２０】
また、本発明（請求項１２）は、光ディスク上に光学ピックアップからの光スポットを照射することにより情報を記録し、または再生する光ディスク装置であって、データの消去に先立って光ディスクから消去対象となるデータを読み出して格納するデータ記憶手段と、前記データ記憶手段に格納された、前記消去対象のデータに関するディスク上の、隣り合うスペースとマークの長さを一律に固定値ｍＴ（ｍは整数、Ｔはチャネルクロック周期）だけスペースは短く、マークは長くなるように二重書き用データを作成する消去データ生成手段と、前記消去データ生成手段により生成したデータを、前記光ディスク上の消去対象とするデータに二重書きするよう制御する制御手段と、データが消去された後の光ディスクからデータを読み出し、隣り合うスペースとマークの長さを一律に固定値ｍＴ（ｍは整数、Ｔはチャネルクロック周期）だけスペースは長く、マークは短くなるように補正し、データを復元するデータ復元手段とを備えたものである。
これにより、消去用のデータに関する情報を持たなくても、データを復元することができる。
【００２１】
また、本発明（請求項１３）は、光ディスク上に光学ピックアップからの光スポットを照射することにより情報を記録し、または再生する光ディスク装置であって、データの消去時に光ディスク上の消去対象のデータをホストコンピュータから転送するデータ転送手段と、前記データ転送手段により送られてくるデータに基づき、二重書き用データを生成する消去データ生成手段と、前記消去データ生成手段により生成したデータを前記光ディスク上の消去対象のデータに二重書きするよう制御する制御手段とを備えたものである。
これにより、消去用データの管理をホストコンピュータで行なうことができ制御が容易になる。
【００２２】
また、本発明（請求項１４）は、請求項１３に記載の光ディスク装置において、データの復元に先立って、復元に必要なデータを前記ホストコンピュータから転送するデータ転送手段と、前記データ転送手段により送られてくるデータに基づき、前記光ディスクから読み出したデータを復元するデータ復元手段とを備えたものである。
これにより、データ復元に必要なデータの管理が容易に行なえる。
【００２３】
【発明の実施の形態】
（実施の形態１）
本実施の形態１は、ライトワンスの光ディスクに記録されているデータに対して、アドレス情報などを消去しないようにフレーム内のデータとパリティ部分とのみを二重書きすることにより所望の情報（データ）を消去する際、ディスク上に記録される二重書きのデータのマーク（またはスペース）の各エッジの位置が消去対象のデータのマークのエッジからずれないようにするとともに、二重書き後のマークおよびスペースの各長さが３Ｔから１１Ｔになるように、消去を行なうデータのスペース長およびマーク長に基づいて、二重書きのデータを生成して消去を行う光ディスク装置に関する。
【００２４】
以下に、本発明の実施の形態１による光ディスク装置について、図１、図２、及び図３を用いて説明する。
図１は本発明の形態１における光ディスク装置の構成を示すブロック図である。
図１において、１０は光ディスクであり、ここでは一度書き可能なＣＤーＲとして説明するがＤＶＤーＲ等の他のメディアであっても良い。１５から７０までは従来の技術と同じであり、１００はデータを記憶するメモリ、１１０は消去時に二重書きするためのデータを生成する消去データ生成回路、１２０はセレクタ、１３０は読み出しクロックと書き込みクロックとを切り替えて生成するＰＬＬ、１４０はビタビ復号器からなる再生データを２値化する２値化回路、１４５は通常のデータの読みだし時での再生信号よりＥＦＭ復調、ＣＩＲＣデコード、および誤り訂正処理等の復号処理を行なう以外に、記録用データを生成する処理をも行うエンコーダ／デコーダである。
【００２５】
次に、上記のような構成を有する本実施の形態１による光ディスク装置の動作について説明する。
本実施の形態１による光ディスク装置において、既に記録されている光ディスク１０上のデータの消去は、このような手順で行なう。すなわち、消去に先立ち、消去対象のデータをメモリ１００へ一度読み込み、この読み込んだデータを元に二重書きするデータを作成し、光ディスク１０上の消去対象のデータに対して二重書きを行なう。
【００２６】
次に、まず、消去対象のデータの読み込み処理について、説明を行なう。
スピンドルモータ１５により光ディスク１０を回転させ、光学ヘッド２０からレーザ光を照射し、光ディスク１０からの反射光に基づき、光学ヘッド２０において高周波信号の再生データが出力され、増幅回路３０に供給されて増幅された後、ＰＬＬ回路１３０に供給される。
２値化回路１４０に入力された再生データは、２値化された後、同期検出回路４５においてフレーム同期パターンが検出される。さらに、２値化された再生データは、クロック信号とともにエンコーダ／デコーダ１４５に入力され、フレーム内のデータおよびパリティ部の再生データであることがカウンタ５５によって確認されると、入力した再生データをメモリ１００に格納する。
【００２７】
ここでのフレーム内のデータおよびパリティ部の確認は、以下のような処理によって行なわれる。ＰＬＬ回路１３０において再生データ信号よりクロック信号が抽出されるとともに、カウンタ５５において同期検出回路４５が前記フレームパターンを検出してから経過した時間を計測し、同期検出回路４５が新たに前記フレームパターンを検出すると、カウンタ５５はクリアされ、経過時間の再計測を開始する。
【００２８】
この処理により、フレーム内のデータおよびパリティ部へレーザスポットが到達するまでの時間を計測し、目標位置であるフレーム内のデータおよびパリティ部の先頭にレーザスポットが到達してから、フレーム内のデータおよびパリティ部の最後に到達するまで、同期検出回路４５の出力する２値化データをそのままメモリ１００へ格納するよう、ＣＰＵ５０はカウンタ５５の出力する割り込み信号に基づき、デコーダ／エンコーダ１４５を制御する。このように、消去対象のファイルに対応するフレームのデータを光ディスクから読みだし、エンコーダ／デコーダ１４５において復調せずに再生データのマークおよびスペース長をメモリ１００に格納することができる。
【００２９】
次に、記録されているデータに対して行なう二重書き処理について、説明を行なう。
二重書き処理を開始すると、デコーダ／エンコーダ１４５が二重書き処理に先立ち読みだして格納しているデータをメモリ１００より読みだし、このデータに基づき消去データ生成回路１１０が二重書きするデータを作成し、セレクタ１２０で消去データ生成回路１１０の出力が選択された状態となる。
この処理と並行して、読みだしたフレームの直前の光ディスク上の位置へ光学ヘッド２０を移動し、消去対象のフレームのピット位置にレーザスポットが来るまで読み出しを行なう。
【００３０】
このピット位置の確認は、以下のようにして行なう。同期検出回路４５においてフレーム同期パターンを検出し、フレーム同期パターンが検出されてから目標のピットが始まるまでの時間を、クロック信号をカウンタ５５でカウントすることで目標のピット位置の検出を行なう。この処理により、フレーム内のデータおよびパリティ部へレーザスポットが到達するまでの時間を計測し、目標位置へレーザスポットが到達すると、割り込み信号がＣＰＵ５０に対して出力され、ＣＰＵ５０は二重書き処理を開始するよう制御する。さらに、レーザスポットがパリティ部の最後に到達すると、割り込み信号が再びＣＰＵ５０に対して出力され、ＣＰＵ５０は二重書き処理を終了するよう制御する。
ＣＰＵ５０の指示により、二重書き処理が開始されると、セレクタ１２０の出力が増幅回路３０を通じてピックアップ２０に供給し、消去するためのデータを光ディスク１０に記録する。
【００３１】
ここで、二重書きするデータは、以下のようにして消去データ生成回路１１０において作成する。
二重書きするデータは、連続するスペースとマークそれぞれの長さに着目し決定する。その際、二重書きした後の光ディスク１０上のマークおよびスペースの長さが３Ｔから１１Ｔに収まるようにする必要がある。このルールを守るために、消去データ生成回路１１０は、以下のようにスペース部分に対して二重書きするマークの長さを決定し、消去用データを生成する。
【００３２】
例えば、入力したデータ系列が（ｎ）Ｍａｒｋ−（ｘ）Ｓｐａｃｅ−（ｍ）Ｍａｒｋの組合せにおいて、
ｎ＋ｘ＋ｍ　＜　１１の場合、
二重書き後に（ｎ＋ｘ＋ｍ）Ｍａｒｋ
となるように、Ｓｐａｃｅの部分に長さｘのマークを記録し、スペース部分をなくす。
なお、ここで、ｎ、ｘ、およびｍは、それぞれ対応するスペースまたはマークの長さを示しており、長さｎＴ（Ｔは入力データのクロックの周期を表す。）のマークの後に、長さｘＴのスペース、更にその後に長さｍＴのマークが続く組合せであることを表している。これは、以下の記述においても同様である。
【００３３】
また、以下のように消去用データを決定する。
入力したデータが（ｎ）Ｓｐａｃｅ−（ｘ）Ｍａｒｋの組合せにおいて、
ｎ＝１１の場合
（ｎ）Ｓｐａｃｅ部分が、
（３）Ｓｐａｃｅ−（５）Ｍａｒｋ−（３）Ｓｐａｃｅ
となるようにするために、１１Ｔのスペースの真中に５Ｔのマークを二重書きする。
【００３４】
ｘ　＜　１０かつ、３＜ｎ＜１１の場合
（ｎ−ｙ）Ｓｐａｃｅ−（ｘ＋ｙ）Ｍａｒｋ
となるようにするために、マークの直前に、ｙＴのマークを二重書きする。
ただし、ｙは、（ｎ−ｙ）、（ｘ＋ｙ）ともに、３以上１１以下となるようにランダムに決定される値、あるいは固定値である。
【００３５】
ｎ＝３の場合
（３）ｓｐａｃｅ−（ｘ）Ｍａｒｋ
となるようにするために、マークの二重書きを行なわない。
【００３６】
このように、二重書きするマークの位置および長さを決定することで、二重書き後も、それぞれのスペース長およびマーク長を、３Ｔから１１Ｔの範囲内に収めることができる。
また、二重書き（記録）を開始すると、再生データが得られなくなる。そこで、ピットの位置がずれないよう正確に二重書きをするために、ＰＬＬ１３０では、二重書きを開始する目標のピット位置に到達するまでに、記録用クロックと、再生用クロックとの位相合わせを行ない、目標ピット位置に到達した時点でクロックの切替を行なう。
【００３７】
図２は、ＰＬＬ１３０の構成を示すブロック図である。
図２において、１５０および１７５は位相比較器、１５５および１８０はローパスフィルタ（以下、ＬＰＦと記す）、１６０はセレクタ、１６５および１８５は電圧制御型発信器（以下、ＶＣＯと記す）、１７０は水晶発信器である。位相比較器１５０、ＬＰＦ１５５、およびＶＣＯ１６５により読みだし用のＰＬＬを、位相比較器１７５、ＬＰＦ１８０、およびＶＣＯ１８５により記録用のＰＬＬを構成し、セレクタ１６０により出力するクロックを選択する。
【００３８】
読みだし時は、読みだし用のＰＬＬを構成するよう、セレクタ１６０はＶＣＯ１６５の出力を選択し出力する。再生データがＶＣＯ１６５の出力するクロック信号とともに、位相比較器１５０に入力され、２つの信号間の位相比較が行なわれ、その位相差がＬＰＦ１５０においてフィルタリング処理された後、ＶＣＯ１６５に入力され、位相差に応じて出力するクロック信号の発信周波数を制御する。この時、正確なピット位置にデータの二重書きを行なうために、ＶＣＯ１６５がセレクタ１６０を介して出力するクロック信号と水晶発信器１７０から出力されるクロック信号との位相比較を位相比較器１７５で行ない、セレクタ１６０によりＶＣＯ１８５の出力するクロック信号が選択されても、直ちに追従できるようにしておく。
【００３９】
目標のピット位置に到達し記録を行なう場合、すなわち、カウンタ５５がデータパリティ信号が出力されている間、セレクタ１６０はＶＣＯ１８５の出力を選択し出力する。この切替を行なっても、上述したように読みだし時に位相比較をおこなっているため、ＶＣＯ１８５の出力するクロック信号は大きく乱れることなく記録用のクロックに切り替わる。
【００４０】
なお、二重書きを行なう場合は、通常の記録時と同じく、マークを記録する際に、図示しないレーザ制御回路により、光学ヘッド２０内のレーザパワーを記録用パワーレベルまで高くするよう制御される。また、通常の記録時における最小スペース／マーク長は３Ｔであるが、消去時の二重書き時には１Ｔや２Ｔの短いマークを記録する必要がある。本実施の形態１では、スペースの後のマークを長くするように、すなわちマークの前側を長くするように二重書きを行なう場合がある。そのため、二重書きの最初のエッジが正確に記録さえできれば、１Ｔや２Ｔのマークを記録する場合においても、３Ｔと同じライトストラテジーを用いるか、または、記録時におけるピークパワーのみを用いて記録を行なうかのいずれにしても正確に記録することができる。
【００４１】
図３に、消去前および消去（二重書き）後のメディア上のピット（マーク）の模式図を示す。この例では、消去前のマーク長が３Ｔ、５Ｔおよび６Ｔで、スペース長が９Ｔ、および４Ｔの場合を示している。消去後は、５Ｔのマークおよび６Ｔのマークの前に１Ｔの長さのマークが二重書きされ、それぞれ、マーク長が６Ｔおよび７Ｔになるとともに、それぞれのマークの前のスペース長が９Ｔから８Ｔ、４Ｔから３Ｔへ変更されている。このデータの変更により、このデータを再生しようとしても正しく再生できなくなる。また、消去対象のファイル全てのデータを消去することにより、誤り訂正によるデータの再生を行なうことも困難となる。
【００４２】
このように、本実施の形態１による光ディスク装置では、読み出しから書き込みへの変更時にクロックを追従させ、読み出しクロックと書き込みクロックとを切り替えて生成するＰＬＬと、再生データを２値化する２値化回路と、光ディスク１０より読み出した消去対象データを記録するメモリと、前記消去対象データに基づいてスペース又はマークの長さが３Ｔから１１Ｔに収まるように二重書き用のデータを生成する消去データ生成回路１１０とを設けるようにしたので、データを消去する際光ディスク上のピットの位置を変えることなく、消去後のデータのマーク長、およびスペース長を、３Ｔから１１Ｔの範囲内に制限することが可能となり、データ消去した後、光ディスクからのデータ再生を効率よく、正確に行うことができる。
【００４３】
なお、本実施の形態１の説明では、フレーム単位で処理し、ＥＦＭ復調や誤り訂正を行なわず読み出したデータをメモリ１００に格納するように構成した例で説明したが、９６フレーム単位で処理を行ない、ＥＦＭ復調後ＣＩＲＣ等の誤り訂正を行なった後、データをメモリ１００に格納するように構成することも同様に実施可能である。
【００４４】
（実施の形態２）
本実施の形態２は、前述した実施の形態１の構成の上に、二重書きしたデータの情報をＫＥＹ情報として保持しておき、後にディスクから読み出したデータとこのＫＥＹ情報とにより消去したデータを復元することのできる、光ディスク装置に関する。
【００４５】
以下に、本発明の実施の形態２による光ディスク装置について、図４及び図５を用いて説明する。
図４は、本発明の実施の形態２による光ディスク装置の構成を示すブロック図である。
【００４６】
図４において、３２０は、２重書きをしたデータの情報であって、消去したデータを復元する際に用いる作成情報（以下、ＫＥＹ情報と記す。）の格納を行うＫＥＹ格納装置（作成情報記憶装置）、３１０は、二重書きするためのデータを生成する消去データ生成回路、３００は、通常のデータの読みだし時での再生信号よりＥＦＭ復調、ＣＩＲＣデコード、および誤り訂正処理等の復号処理を行なう以外に、消去（二重書き）されたデータを読み出す際ＫＥＹ格納装置３２０の格納するＫＥＹ情報に基づき再生データからデータを復号する処理と、消去する際の記録用データを生成する処理とをも行うエンコーダ／デコーダであり、エンコーダ／デコーダ３００は、データ復元回路としての機能をも兼ねる。なお、その他の構成要素に関しては、前述した実施の形態１と同様である。
【００４７】
次に、上記のような構成を有する本実施の形態２による光ディスク装置の動作について説明する。
本実施の形態２による光ディスク装置において、既に記録されている光ディスク１０上のデータの消去、および一度消去したデータの復元は、フレーム内のデータとパリティ部分のみを消去する時に、二重書きしたデータの情報をＫＥＹ情報として保持しておき、後にディスクから読み出したデータとこのＫＥＹ情報とによりデータを復元する。
【００４８】
まず、消去時の動作について説明する。
消去時の動作は、ほぼ実施の形態１と同様のことを行う。データを消去する際に、消去対象のデータを一度フレーム単位でメモリ１００に読み出す。データの読み出しは、スピンドルモータ１５により光ディスク１０を回転させ、光学ヘッド２０からレーザ光を照射し、光ディスク１０からの反射光に基づき光学ヘッド２０において再生データの高周波信号が出力され、増幅回路３０に供給されて増幅された後、ＰＬＬ回路１３０に供給される。ＰＬＬ回路１３０において、再生データ信号よりクロック信号が抽出されるとともに、このクロック信号はカウンタ５５に入力されクロック数がカウントされる。
【００４９】
また、再生データは２値化回路１４０に入力され、ビタビ復号器からなる再生データを２値化する２値化回路により２値化された後、同期検出回路４５に入力され、フレーム同期パターンが検出され、カウンタ５５において、同期検出回路４５が前記フレームパターンを検出してから経過した時間を計測する。
さらに、２値化された再生データは、クロック信号とともにエンコーダ／デコーダ３００に入力され、フレーム内のデータおよびパリティ部の再生データであることがカウンタ５５によって確認されると、入力した再生データをメモリ１００に格納する。
【００５０】
次に、データを消去するために、メモリ１００上のデータに基づき二重書きを行なう。消去データ生成回路３１０で、二重書きするためのデータを以下のように生成する。
入力したデータが（ｎ）Ｓｐａｃｅ−（ｘ）Ｍａｒｋの組合せにおいて、
ｘ＝１１の場合
（ｎ）Ｓｐａｃｅ−（１１）Ｍａｒｋ
となるようにするために、マークを二重書きを行なわない。
【００５１】
ｎ＝３の場合
（３）ｓｐａｃｅ−（ｘ）Ｍａｒｋ
となるようにするために、マークを二重書きを行なわない。
【００５２】
３＜ｎかつｘ＜１１の場合
（ｎ−ｙ）Ｓｐａｃｅ−（ｘ＋ｙ）Ｍａｒｋ
となるようにするために、マークの直前に、ｙＴのマークを二重書きする。
ただし、ｙは、（ｎ−ｙ）、（ｘ＋ｙ）ともに、３以上１１以下となるようにランダムに決定される値、あるいは固定値である。
【００５３】
このように、二重書きするマークの位置および長さを決定することで、二重書き後も、それぞれのスペース長およびマーク長３Ｔから１１Ｔに収めることができる。なお、上記記述において、ｙの値は固定値でもよいし、ランダムに変化する可変値でも良い。
ただし、このデータ生成時に、マークを二重書きすることで短くなったスペースの長さ、すなわち新たに記録したマーク長を、ＫＥＹ情報として消去データ生成回路３００は出力する。
【００５４】
すなわち、ｘ＝１１の場合、またはｎ＝３の場合は０を、
３＜ｎかつｘ＜１１の場合は、ｙをＫＥＹ情報として、
ＫＥＹ格納装置３２０に対して出力し、ＫＥＹ格納装置３２０はそのＫＥＹ情報を順次記憶する。
【００５５】
フレームの消去が終了した時点で、またはＫＥＹ格納装置３２０にあらたにデータを格納できなくなった時点で、ＫＥＹ格納装置３２０上のＫＥＹ情報を、ディスク１０上の空き領域に記録する。消去対象のファイルの全てのフレームの消去が終了している場合は、消去処理を終了し、消去が終了していない場合は、フレームの消去を再開する。ＫＥＹ情報の格納時に、光ディスク１０上に空き領域が無い場合、あるいは光ディスク１０上に格納する代わりに、図示しないホストコンピュータにＫＥＹ情報を送り、ホストコンピュータによりＫＥＹ情報を保持しても良い。
【００５６】
次に、消去したファイルを復元するための動作について説明する。
一度消去したファイルを復元する場合は、まず、復元するファイルのＫＥＹ情報をディスク１０から、またはホストコンピュータに格納した場合はホストコンピュータから読みだし、ＫＥＹ格納装置３２０に格納する。
【００５７】
その後、ＫＥＹ格納装置３２０上に格納されているＫＥＹ情報に対応する光ディスク１０上のフレームからデータを読み出す。読み出したデータは、そのままではエンコーダ／デコーダ３００では復号化できないため、ＫＥＹ格納装置３２０より順次ＫＥＹ情報を読み込み、入力したデータの（ｎ）Ｓｐａｃｅ−（ｘ）Ｍａｒｋの組合せと、ＫＥＹ格納装置３２０から読み出したＫＥＹ情報とを読み出した順番で対応させ、再生データのスペース／マーク長をそれぞれ補正しデータを復号化する。すなわち、入力したデータの（ｎ）Ｓｐａｃｅ−（ｘ）Ｍａｒｋの組合せと、ＫＥＹ格納装置３２０から読み出したＫＥＹ情報ｙとにより、（ｎ＋ｙ）Ｓｐａｃｅ−（ｘ−ｙ）Ｍａｒｋとなるよう補正する。この補正を行なったデータに対して、ＥＦＭ復調、ＣＩＲＣデコードや誤り訂正を行ない、データを再生する。
【００５８】
図５に、消去前および消去（二重書き）後のメディア上のピット（マーク）およびＫＥＹ情報の模式図を示す。
図５においては、消去前のそれぞれのマーク長が３Ｔ、５Ｔおよび６Ｔであったものが、消去後には３Ｔ、７Ｔおよび７Ｔとなっており、記録時に作成されるＫＥＹ情報はそれぞれ０Ｔ、２Ｔ、および１Ｔである。
【００５９】
このＫＥＹ情報０Ｔ、２Ｔ、および１Ｔと、（ｎ）Ｓｐａｃｅ−（ｘ）Ｍａｒｋの組合せ、すなわち、（３）Ｓｐａｃｅ−（３）Ｍａｒｋの、（５）Ｓｐａｃｅ−（７）Ｍａｒｋ、および（３）Ｓｐａｃｅ−（７）Ｍａｒｋにより、（３）Ｓｐａｃｅ−（３）Ｍａｒｋの、（７）Ｓｐａｃｅ−（５）Ｍａｒｋ、および（４）Ｓｐａｃｅ−（６）Ｍａｒｋと復元することができる。
【００６０】
復元時には、スペースと後続のマークを一組として管理し、対応するＫＥＹ情報に基づき、スペース長はＫＥＹ情報分長く、また、マーク長はＫＥＹ情報分短くなるよう補正を行なう。この補正を行なうことで、消去前のデータの復元を行なうことができる。
【００６１】
このように、本実施の形態２による光ディスク装置では、ディスク上のデータを消去（２重書き）する際、消去対象データに基づいて２重書きデータを作成する際のＫＥＹ情報をメモリに保存するようにしたので、必要に応じて、ディスクから消去後のデータを読み出し、そのデータに対応する前記ＫＥＹ情報を使って、元のデータの復元をすることができる。
【００６２】
なお、本実施の形態２の説明では、フレーム単位で処理しＥＦＭ復調や誤り訂正を行なわず読み出したデータをメモリ１００に格納するように構成した例で説明したが、９６フレーム単位で処理を行ないＥＦＭ復調後ＣＩＲＣ等の誤り訂正を行なった後、データをメモリ１００に格納するように構成することも、同様に実施可能である。
【００６３】
（実施の形態３）
本実施の形態３は、アドレス情報などを消去しないようにディスク上のフレーム内のデータとパリティ部分のみを２重書きすることによりデータの消去、及び一度消去したデータの復元において、２Ｔから１２Ｔまでのピット長に対応したビタビ復号器からなる２値化回路を用い、データの消去時に、二重書きする前のデータと、上書きしたデータとの関係が一意に決定されるように二重書きを行なうことにより、ディスクから読み出したデータだけを用いて復元することのできる、光ディスク装置に関する。
【００６４】
以下、本発明の実施の形態３による光ディスク装置について、図６および図７を用いて説明する。
図６は、本発明の実施の形態３による光ディスク装置の構成を示すブロック図である。
【００６５】
図６において、１０から１４０までは、前述した実施の形態１ないし実施の形態２と同じであり、４００は２Ｔから１２Ｔまでのピット長に対応したビタビ復号器からなる再生データを２値化する２値化回路、４１０は再生データからデータを復号するとともに記録用データを生成するエンコーダ／デコーダで、４２０は消去データ生成回路である。
【００６６】
次に、上記のような構成を有する本実施の形態３による光ディスク装置の動作について説明する。
まず、消去時の動作について説明する。消去時の動作は、ほぼ実施の形態１ないし実施の形態２と同様の動作で行う。
スピンドルモータ１５により光ディスク１０を回転させ、光学ヘッド２０からレーザ光を照射し、光ディスク１０からの反射光に基づき、光学ヘッド２０において高周波信号の再生データが出力され、増幅回路３０に供給されて増幅された後、ＰＬＬ回路１３０に供給される。ＰＬＬ回路１３０において再生データ信号よりクロック信号が抽出されるとともに、このクロック信号は、カウンタ５５に入力されクロック数がカウントされる。
【００６７】
２値化回路４００に入力され、ビタビ復号器により２値化された後、同期検出回路４５に入力されフレーム同期パターンが検出され、カウンタ５５において同期検出回路４５が前記フレームパターンを検出してから経過した時間を計測する。
さらに、２値化された再生データは、クロック信号とともにエンコーダ／デコーダ４１０に入力され、フレーム内のデータおよびパリティ部の再生データであることがカウンタ５５によって確認されると、入力した再生データをメモリ１００に格納する。
【００６８】
記録されているデータに対して行なう消去（二重書き）処理について、以下説明を行なう。まず、読みだしたフレームの直前の光ディスク上の位置へ光学ヘッド２０を移動し、消去対象のフレームのピット位置にレーザスポットが来るまで読み出しを行なう。
【００６９】
このピット位置の検出は、以下のように行なう。同期検出回路４５においてフレーム同期パターンを検出し、フレーム同期パターンが検出されてから目標のピットが始まるまでの時間を、クロック信号をカウンタ５５でカウントすることで、目標のピット位置の検出を行なう。
【００７０】
消去対象のピット位置に到達すると、メモリ１００よりデータを読みだし、このデータに基づき、消去データ生成回路４２０は二重書きするデータを作成し、増幅回路３０を通じてピックアップ２０に供給し、消去するためのデータを光ディスク１０に記録する。なお、二重書きを行なう場合は、通常の記録時と同じく、マークを記録する際には、図示しないレーザ制御回路により、光学ヘッド２０内のレーザパワーを、記録用パワーレベルまで高くするよう制御される。
【００７１】
なお、二重書きするデータは、以下のようにして消去データ生成回路４２０において作成する。二重書きするデータは、連続するスペースとマークそれぞれの長さに着目し決定する。その際、二重書きした後の光ディスク１０上のマークおよびスペースの長さが２Ｔから１２Ｔの範囲内に収まるようにする。
【００７２】
消去データ生成回路４２０は、例えば以下のようにスペース部分に対して上書きするマークの長さを決定し、消去用データを生成する。
入力したデータが（ｎ）Ｓｐａｃｅ−（ｘ）Ｍａｒｋの組合せにおいて、
（ｎ−１）Ｓｐａｃｅ−（ｘ＋１）Ｍａｒｋ
となるようにするために、マークの直前に、１Ｔのマークを二重書きする。このように、二重書きするマークの位置および長さを決定することで、二重書き後も、それぞれのスペース長およびマーク長を２Ｔから１２Ｔの範囲内に収めることができる。ここで、常にマークについては１Ｔ長くなるように二重書きすることで、消去前と、消去後のデータの関係が一意となっている。
【００７３】
次に、データの復元処理について、以下説明を行なう。
データの復元時には、光ディスク１０から読み出された再生データは、増幅回路３０において増幅された後、２値化回路４００において、２Ｔから１２Ｔまでのピット長に対応したビタビ復号器により２値化され、エンコーダ／デコーダ４１０において、再生データのスペースについては１Ｔ長く、マークについては１Ｔ短くなるように、すなわち（ｎ＋１）Ｓｐａｃｅ−（ｘ−１）Ｍａｒｋと補正を行なった後、通常のＥＦＭ復調、ＣＩＲＣデコード、および誤り訂正処理等の復号処理を行なうことで、データを復元することができる。また、消去前と、消去後のデータの関係が一意となるが、記録されたマークおよびスペース長の範囲が、消去前とは異なるため、他の光ディスク装置では読み出すことができず、データの機密性は保持される。
【００７４】
図７に、消去前および消去（二重書き）後のメディア上のピット（マーク）の模式図を示す。図７において、消去前のそれぞれのマーク長が３Ｔ、５Ｔおよび６Ｔであったものが、消去後にはマーク長が４Ｔ、６Ｔおよび７Ｔ、マークに対応する直前のスペース長は２Ｔ、６Ｔおよび３Ｔとなる。さらに、再生時には、この操作と逆の操作が行なわれ、ＫＥＹ情報を用いることなく消去前のデータを再生できる。
【００７５】
このように、本実施の形態３による光ディスク装置では、２値化回路４００のビタビ復号器が２Ｔから１２Ｔのマーク長に対応し、消去データ生成回路４２０が、元のデータに対してマーク長が１Ｔ長くなるよう二重書きデータを作成し、光ディスク１０上の消去対象のデータに対して二重書きを行なうようにしたので、消去前のデータと消去後のデータとは一意的関係となり、消去データに関するＫＥＹ情報を持たなくてもデータの復元を行うことができる。また、消去前のデータと消去後のデータのマーク及びスペース長が異なるため、消去後のディスクはその他の光ディスク装置で再生できず、データの機密性が保たれることになる。さらに、メモリや、ＫＥＹ格納装置などの構成を省くことができ、ローコストな消去、復元のできる光ディスク装置を提供することができる。
【００７６】
（実施の形態４）
本実施の形態４は、消去時における二重書きを行なうためのデータ、およびＫＥＹ情報を、ホストコンピュータのファイル装置上に格納管理し、またデータ復元を行うときに、ホストコンピュータがファイル装置からデータを読み出してエンコーダ／デコーダに転送することで、読み出しデータ格納用のメモリを持つことなく、データの消去、および復元を行うことのできる、光ディスク装置に関する。
【００７７】
以下に、本発明の実施の形態４による光ディスク装置について、図８を用いて説明する。
図８は、本発明の実施の形態４による光ディスク装置の構成を示すブロック図である。
図８において、５３０はデータを消去するためのデータ、およびデータを復元する際の情報であるＫＥＹ情報を格納するファイル装置、５２０はホストコンピュータ（以下、ＨＯＳＴと記す）、５１０はホストコンピュータ５２０とのインターフェース回路であるＨＯＳＴＩ／Ｆ、５００は、ファイル装置５３０に格納されたＫＥＹ情報に基づき再生データからデータを復号するとともに、記録用データを生成するエンコーダ／デコーダ、５４０は消去データ生成装置である。その他の構成要素に関しては、前述した実施の形態２と同様である。
【００７８】
次に、上記のような構成を有する本実施の形態４による光ディスク装置の動作について説明する。
まず、消去時の動作について説明する。消去時の動作は、ほぼ実施の形態１ないし実施の形態２と同様の動作で行なう。
データを消去する際に、スピンドルモータ１５により光ディスク１０を回転させ、光学ヘッド２０からレーザ光を照射し、光ディスク１０からの反射光に基づき、光学ヘッド２０において高周波信号の再生データが出力され、増幅回路３０に供給されて増幅された後、ＰＬＬ回路１３０に供給される。ＰＬＬ回路１３０において、再生データ信号よりクロック信号が抽出されるとともに、このクロック信号はカウンタ５５に入力され、クロック数がカウントされる。
【００７９】
再生データは、２値化回路１４０に入力され、ビタビ復号器により２値化された後、同期検出回路４５に入力されフレーム同期パターンが検出され、カウンタ５５において同期検出回路４５が前記フレームパターンを検出してから、経過した時間を計測する。
【００８０】
さらに、２値化された再生データはクロック信号とともにエンコーダ／デコーダ５００に入力され、再生信号よりＥＦＭ復調、ＣＩＲＣデコード、および誤り訂正処理等の復号処理を行ない、ＨＯＳＴＩ／Ｆ５１０を経由し一度ＨＯＳＴ５２０に転送する。ＨＯＳＴ５２０は、そのデータを消去ファイルとしてファイル装置５３０に格納する。
このファイル装置５３０に格納したデータに基づき、光ディスク１０のデータに対して二重書きを行ない、データを消去するための二重書きを行なう。
【００８１】
記録されているデータに対して行なう消去（二重書き）処理について、以下説明を行なう。
二重書き処理を開始すると、まず、ＨＯＳＴ５００は、データを消去するために、ファイル装置５３０からデータを読みだし、ＨＯＳＴＩ／Ｆ５１０を経由して、エンコーダ／デコーダ５００へ転送する。エンコーダ／デコーダ５００は、転送されたデータに基づき、通常の記録時と同様の符号化処理を行ない、消去データ生成回路５４０に出力する。消去データ生成回路５４０では、実施の形態２と同様の処理により、二重書きを行なうためのデータを作成し、セレクタ１２０で消去データ生成回路５４０の出力が選択された状態となり、セレクタ５４０を通じて増幅回路３０へ出力する。
【００８２】
この処理と並行して、読みだしたフレームの直前の光ディスク上の位置へ光学ヘッド２０を移動し、消去対象のフレームのピット位置にレーザスポットが来るまで読み出しを行なう。光学ヘッド２０を移動し、レーザスポットが消去対象のピット位置に来ると、増幅回路３０により記録処理を行なうよう、ＣＰＵ５０は二重書き処理を開始するよう制御する。
【００８３】
消去データ生成回路５４０は、二重書きを行なうためのデータ作成時に作成したＫＥＹ情報を、ＨＯＳＴＩ／Ｆ５１０を介して、ＨＯＳＴ５２０へ転送し、ファイル装置５３０へ格納する。このＫＥＹファイルの転送は、フレーム単位、あるいは９６フレーム毎のパケット単位、あるいはファイル単位での二重書きが終了したタイミングで、ＨＯＳＴ５２０へ転送する。
【００８４】
次に、消去したファイルを復元するための動作について説明する。
一度消去したファイルを復元する場合は、まず、ＨＯＳＴ５２０が復元するファイルのＫＥＹ情報をファイル装置５３０から読みだし、ＨＯＳＴＩ／Ｆ５１０を経由しエンコーダ／デコーダ５００へ転送する。このＫＥＹ情報の転送は、フレーム単位、あるいは９６フレーム単位、あるいはファイル単位で行なう。
【００８５】
その後、ＫＥＹ情報に対応する光ディスク１０上のフレームからデータを読み出す。読み出したデータは、そのままではエンコーダ／デコーダ５００では復号化できないため、ＫＥＹ情報と、入力したデータの（ｎ）Ｓｐａｃｅ−（ｘ）Ｍａｒｋの組合せと読み出した順番で対応させ、再生データのスペース／マーク長をそれぞれ補正しデータを復号化する。この補正を行なったデータに対して、ＥＦＭ復調、ＣＩＲＣデコードや誤り訂正を行ないデータを再生する。
【００８６】
このように、本実施の形態４による光ディスク装置では、消去時における二重書きを行なうためのデータ、およびＫＥＹ情報を、ＨＯＳＴ５２０がファイル装置５３０上に格納し、またデータ復元するときに、ＨＯＳＴ５２０がファイル装置５３０からデータを読み出してエンコーダ／デコーダ５００に転送することで、読み出しデータ格納用のメモリを持つことなく、データの消去、および復元を行うことができる。
【００８７】
【発明の効果】
以上のように本発明によれば、消去対象データに基づき、消去後のスペース、およびマーク長の最大、最小値が消去前と変わらないように二重書きするデータを決定するとともに、データの読み出し時にＰＬＬの記録系のクロックの位相を合わせることで、消去後のデータを読み出す際においても、未消去のデータの再生能力の低下を防げることができるという効果がある。
【００８８】
また、二重書きする際に、隣接するスペースとマークを一組として、二重書き用データの生成情報を記録することで、一度消去したデータを復元することができるという効果がある。
【００８９】
さらに、二重書きする際に、隣接するスペースとマークを一組として、二重書き用データの生成方法を制限することで、二重書き用データの生成情報を必要とすることなく、一度消去したデータを復元することができるという効果がある。
【００９０】
また、二重書き用データをホストコンピュータから供給することで、データ保持用のメモリを持つ必要がなくなり、ハードウェアを削減することができるという有利な効果が得られる。
【図面の簡単な説明】
【図１】本発明の実施の形態１による光ディスク装置の構成を示すブロック図である。
【図２】本発明の実施の形態１による光ディスク装置のＰＬＬの構成を示すブロック図である。
【図３】本発明の実施の形態１における、光ディスク上の消去前と消去後のピットの模式図である。
【図４】本発明の実施の形態２による光ディスク装置の構成を示すブロック図である。
【図５】本発明の実施の形態２における、光ディスク上の消去前と消去後のピットの模式、及び消去データのＫＥＹ情報を示す図である。
【図６】本発明の実施の形態３における、光ディスク上の消去前と消去後のピットの模式図である。
【図７】本発明の実施の形態３における、光ディスク上の消去前と消去後のピットの模式、及び消去データのＫＥＹ情報を示す図である。
【図８】本発明の実施の形態４における、光ディスク上の消去前と消去後のピットの模式、及び消去データのＫＥＹ情報を示す図である。
【図９】従来の光ディスク装置を説明するためのブロック図である。
【符号の説明】
１０　光ディスク
１５　スピンドルモータ
２０　光学ヘッド
３０　増幅回路
４０、１３０　ＰＬＬ
４５　同期（パターン）検出回路
５０　ＣＰＵ
５５　カウンタ
６０、１４５、３００、４１０、５００　エンコーダ／デコーダ
７０　ＡＴＩＰデコーダ
１００　メモリ
１１０、３１０、４２０、５４０　消去データ生成回路
１２０、１６０　セレクタ
１４０、４００　２値化回路
１５０、１７５　位相比較器
１５５、１８０　ローパスフィルタ
１６５、１８５　ＶＣＯ
１７０　水晶発振器
３２０　ＫＥＹ情報格納装置
５１０　ＨＯＳＴ　Ｉ／Ｆ
５２０　ＨＯＳＴ
５３０　ファイル装置
【図１】
2004046987.tif 000003
【図２】
2004046987.tif 000004
【図３】
2004046987.tif 000005
【図４】
2004046987.tif 000006
【図５】
2004046987.tif 000007
【図６】
2004046987.tif 000008
【図７】
2004046987.tif 000009
【図８】
2004046987.tif 000010
【図９】
2004046987.tif 000011